(57)【要約】【課題】開口部から水が浸入し難い小型のカードリーダを提供する。【解決手段】上下方向に延びて筐体４の一部となるように構成された操作部２と、筐体４に内包され、電磁的に情報が記録されたカードが備える情報を非接触にて読み取るカード読み取り機能を備えた制御回路と、筐体４の内外を連通するように操作部２を貫通する開口部１１とを有するカードリーダ１である。開口部１１の上側の壁１４と下側の壁１５は、筐体４の内側から外側に向かうにしたがって次第に低くなるように形成されている。【選択図】  図２
2020119184.tif 000002
【特許請求の範囲】
【請求項１】
上下方向に延びて筐体の一部となるように構成された操作部と、
前記筐体に内包され、電磁的に情報が記録されたカードが備える情報を非接触にて読み取るカード読み取り機能を備えた制御回路と、
前記筐体の内外を連通するように前記操作部を貫通する開口部とを有するカードリーダであって、
前記開口部の上側の壁と下側の壁は、前記筐体の内側から外側に向かうにしたがって次第に低くなるように形成されていることを特徴とするカードリーダ。
【請求項２】
請求項１記載のカードリーダにおいて、
前記開口部は、上下方向に延びる複数のスリットによって形成され、
前記複数のスリットは、水平方向に所定の間隔で並ぶように設けられていることを特徴とするカードリーダ。
【請求項３】
請求項１または請求項２記載のカードリーダにおいて、
さらに、前記操作部を前方と、上方と、下方と、左方と、右方とから囲むカバーを有していることを特徴とするカードリーダ。
【請求項４】
請求項１ないし請求項３のいずれか一つに記載のカードリーダにおいて、
さらに、前記筐体の内部にスピーカーを備えたことを特徴とするカードリーダ。
【発明の詳細な説明】
【技術分野】
【０００１】
本発明は、筐体に開口部が形成されたカードリーダに関する。
【背景技術】
【０００２】
従来、例えば建屋の出入口に設けられて扉の施錠、解錠を切替えるために用いるカードリーダは、通風口や、内部のスピーカーの音を通すための貫通孔などの開口部が設けられていることがある。この種のカードリーダにおいては、雨がかかったときに開口部から水が浸入することを防ぐために、防水構造を採る必要がある。
筐体内への水の浸入を防ぐ従来の防水構造は、例えば特許文献１に記載されている。特許文献１に開示された防水構造は、筐体内の機械部に水滴が浸入することを防ぐ複数の壁部を備えている。
【先行技術文献】
【特許文献】
【０００３】
【特許文献１】特開２００１−２２１５１０号公報
【発明の概要】
【発明が解決しようとする課題】
【０００４】
特許文献１に示す防水構造では、防水用の複数の壁が必要であるから、この防水構造をカードリーダに採用するとカードリーダが大型化するという問題が生じる。
【０００５】
本発明の目的は、開口部から水が浸入し難い小型のカードリーダを提供することである。
【課題を解決するための手段】
【０００６】
この目的を達成するために、本発明に係るカードリーダは、上下方向に延びて筐体の一部となるように構成された操作部と、前記筐体に内包され、電磁的に情報が記録されたカードが備える情報を非接触にて読み取るカード読み取り機能を備えた制御回路と、前記筐体の内外を連通するように前記操作部を貫通する開口部とを有するカードリーダであって、前記開口部の上側の壁と下側の壁は、前記筐体の内側から外側に向かうにしたがって次第に低くなるように形成されているものである。
【０００７】
本発明は、前記カードリーダにおいて、前記開口部は、上下方向に延びる複数のスリットによって形成され、前記複数のスリットは、水平方向に所定の間隔で並ぶように設けられていてもよい。
【０００８】
本発明は、前記カードリーダにおいて、さらに、前記操作部を前方と、上方と、下方と、左方と、右方とから囲むカバーを有していてもよい。
【０００９】
本発明は、前記カードリーダにおいて、さらに、前記筐体の内部にスピーカーを備えていてもよい。
【発明の効果】
【００１０】
筐体の外面を伝って開口部の開口縁に達した水の一部は、開口部の上側の壁や下側の壁を除く部分を伝って開口部内に入ることがある。開口部の上側の壁や下側の壁は、筐体の内側から外側に向かうにしたがって次第に低くなるように傾斜しているから、水がこれらの壁を伝って開口部内（筐体内）に入ることはない。開口部の上下の壁を除く部分を伝って開口部内に浸入した水は、重力で開口部の下側の壁に流れ下りる。開口部の下側の壁は上述したように傾斜している。このため、この下側の壁まで流れ下りた水は、下側の壁を伝って開口部の外（筐体の外）に排出される。
したがって、既存の構造物（上側の壁と下側の壁）を使用して防水を図ることができるから、開口部から水が浸入し難い小型のカードリーダを提供することができる。
【図面の簡単な説明】
【００１１】
【図１】本発明に係るカードリーダの分解斜視図である。
【図２】本発明に係るカードリーダの断面図である。
【図３】要部を拡大して示す断面図である。
【発明を実施するための形態】
【００１２】
以下、本発明に係るカードリーダの一実施の形態を図１〜図３を参照して詳細に説明する。
図１に示すカードリーダ１は、図１の中央部に描かれている操作部２の後部に蓋部３を組付けて構成された筐体４と、筐体４を前方から覆うカバー５と、筐体４に内包された制御回路６やスピーカー７などを備えている。このカードリーダ１は、図示していない建物や部屋の出入管理に用いられる非接触式のものである。詳述すると、このカードリーダ１は、会社のオフィス、電算室、研究室、工場や病院などの建屋の出入口に設置され、扉の施錠、解錠並びに入退室履歴の管理などを行うために使用される。
【００１３】
また、このカードリーダ１は、屋外に設置することも可能である。以下において、カードリーダ１の構成を説明するうえで方向を示すにあたっては、カードリーダ１と向き合うようにカードリーダ１を見たときの方向を用いる。すなわち、設置状態にあるカードリーダ１に向き合った状態で鉛直方向の上側をカードリーダ１の上部とするともに、鉛直方向の下側をカードリーダ１の下部とする。また、このカードリーダ１に向き合った状態で右側をカードリーダ１の右側とし、カードリーダ１に向き合った状態で左側をカードリーダ１の左側とする。
【００１４】
操作部２は、筐体４の一部となるように上下方向に延びる箱状に形成されている。この操作部２の後側の開口は、図２に示すように、蓋部３が嵌合し、この蓋部３によって閉塞されている。以下においては、操作部２と蓋体３とによって囲まれた部分の内側を単に「筐体４の内側」といい、操作部２と筐体３によって囲まれた部分の外側を「筐体４の外側」という。
蓋部３には、制御回路６とスピーカー７とが筐体４の中に収容されるように取付けられている。制御回路６は、電磁的に情報が記録されたカード８（図１参照）が備える情報を非接触にて読み取るカード読み取り機能を備えている。スピーカー７は、制御回路６に接続されている。
【００１５】
操作部２と蓋部３を有する筐体４は、図示していない取付構造によってカードリーダ取付用の壁９に取付けられている。この筐体４が壁９に取付けられた状態で筐体４にカバー５が取付けられる。カバー５は、操作部２を前方と、上方と、下方と、左方と、右方とから囲む箱状に形成されており、操作部２を収容した状態で図示していない係止構造によって操作部２に着脱可能に取付けられている。カバー５には、カード８の情報を読み取らせる際の操作位置１０が表示されている。
【００１６】
操作部２には、スピーカー７の音を通すために開口部１１が形成されている。開口部１１は、操作部２の操作面２ａ（前面）に開口し、筐体４の内外を連通するように操作部２を貫通している。この実施の形態による開口部１１は、上下方向に延びる複数のスリット１２によって形成されている。これらの複数のスリット１２は、壁９に沿う水平方向（左右方向）に所定の間隔で並ぶように設けられている。
【００１７】
スリット１２の開口形状は、上下方向に長い長方形である。このため、開口部１１は、図２に示すように、上下方向に延びる一対の側壁１３と、上側の壁１４と、下側の壁１５とによって囲まれて形成されている。上側の壁１４と下側の壁１５は、それぞれ水平方向に延びるように形成されているとともに、筐体４の内側から外側に向かうにしたがって次第に低くなるように傾斜して形成されている。
【００１８】
このように構成されたカードリーダ１は、屋外に設置されて雨に晒されることがある。このような場合、雨水の多くは、カバー５によって遮られてカードリーダ１内に浸入することはないが、一部の雨水がカバー５と壁９との間の隙間からカバー５内に浸入することがある。カバー５内に浸入した雨水の一部は、操作部２の操作面２ａ（前面）やその他の外面を伝って流れることがある。
【００１９】
図３に示すように、操作面２ａを伝って流れた水Ｗの一部が開口部１１の開口縁に達すると、この水Ｗは、開口部１１の側壁１３（開口部１１の上側の壁１４や下側の壁１５を除く部分）を伝って開口部１１内に浸入する。図３は、水Ｗが流れる様子を理解し易いように、カバー５を省略して描いてある。開口部１１の上側の壁１４や下側の壁１５は、筐体４の内側から外側に向かうにしたがって次第に低くなるように傾斜しているから、水Ｗがこれらの壁１４，１５を伝って開口部１１内（筐体４内）に入ることはない。
【００２０】
開口部１１の側壁１３を伝って開口部１１内に浸入した水Ｗは、重力で開口部１１の下側の壁１５まで流れ下りる。開口部１１の下側の壁１５は上述したように外側が低くなるように傾斜している。このため、この下側の壁１５まで流れ下りた水Ｗは、下側の壁１５を伝って開口部１１の外（筐体４の外）に排出される。
したがって、この実施の形態によれば、既存の構造物（上側の壁１４と下側の壁１５）を使用して防水を図ることができるから、開口部１１から水が浸入し難い小型のカードリーダを提供することができる。
【００２１】
この実施の形態による開口部１１は、上下方向に延びる複数のスリット１２によって形成されている。これらの複数のスリット１２は、水平方向に所定の間隔で並ぶように設けられている。このため、水が筐体４内に浸入することを防ぎながら、開口部１１の総開口面積を広くとることができる。この結果、筐体４の中に設けられたスピーカー７の音が通リ易い防水構造を実現できる。
【００２２】
この実施の形態によるカードリーダ１は、操作部２を前方と、上方と、下方と、左方と、右方とから囲むカバー５を有している。このため、開口部１１がカバー５で覆われるから、このカードリーダ１を屋外で使用したとしても、雨水が開口部１１に直接入るようなことはない。したがって、防水効果がより一層高くなるカードリーダを提供することができる。
【００２３】
この実施の形態によるカードリーダ１は、筐体４の内部にスピーカー７を備えている。このため、操作部２を貫通する開口部１１を通してスピーカー７の音が聞こえ易いにもかかわらず、スピーカー７の防水を図ることが可能なカードリーダーを提供することができる。
【００２４】
上述した実施の形態に示した開口部１１は、開口形状が長方形の複数のスリット１２によって形成されている。しかし、開口部１１の構成は、この実施の形態に示す構成に限定されることはない。開口部１１は、複数の円形の貫通孔によって形成したり、一つの四角形、多角形あるいは円形の穴によって形成することもできる。
【符号の説明】
【００２５】
１…カードリーダ、２…操作部、４…筐体、５…カバー、６…制御回路、７…スピーカー、１１…開口部、１２…スリット、１４…上側の壁、１５…下側の壁。
【図１】
2020119184.tif 000003
【図２】
2020119184.tif 000004
【図３】
2020119184.tif 000005